(57)【要約】  異なるレートのパケットのアグリゲーションを伝送するスーパーフレーム、方法及びシステムは、プリアンブル（305）とPHYレイヤ収束プロトコル（310）とを有するヘッダ（300）と、複数のMAC管理プロトコルデータユニット（205）と、ビーコンと、スーパー・プロトコルサービスデータユニット・ヘッダ（315）とを有する。複数のマルチレート・アグリゲート・パケット（327）は、スーパーフレームにグループ化され、減少した送信数でパケットを受信し得る受信ノードに省電力を提供する。MAC宛先によるパケットのグループ化も、ノードによる受信回数の減少を提供し、省電力を生じる。スーパーフレームにより、MACサービスデータユニットが各ノードに配信されることが可能になり、省電力を生じる。スーパーフレームにより、MACサービスデータユニットが異なるPHYレートで各ノードに配信されることが可能になり、効率を最大化する。
2007537654.tif 000002
【特許請求の範囲】
【請求項１】
複数の媒体アクセス制御（MAC）プロトコルデータユニット（MPDU）と；
異なるPHYレートでMPDUを配信するように適合されたスーパー・プロトコルデータサービスユニット（PDSU）を有するPHYレイヤ収束プロトコルと；
を有するスーパーフレーム・プロトコルパケットデータユニット（PPDU）であって：
前記複数のMPDUは、マルチレート・アグリゲート・パケットを有するスーパーフレーム・プロトコルパケットデータユニット。
【請求項２】
請求項１に記載のスーパーフレーム・プロトコルパケットデータユニットであって、
前記物理レイヤ収束プロトコルは、パケットのアグリゲーションを含むものとしてスーパーフレームを特定する少なくとも１つのビットをPDSUヘッダに有するスーパーフレーム・プロトコルパケットデータユニット。
【請求項３】
請求項２に記載のスーパーフレーム・プロトコルパケットデータユニットであって、
前記PHYレイヤ収束プロトコルは、前記スーパー・プロトコルサービスデータユニット・ヘッダの長さの指示を有するスーパーフレーム・プロトコルパケットデータユニット。
【請求項４】
請求項１に記載のスーパーフレーム・プロトコルパケットデータユニットであって、
前記スーパー・プロトコルサービスデータユニット・ヘッダは、複数のMAC管理プロトコルサービスデータユニットの特性のアグリゲーションを有するスーパーフレーム・プロトコルパケットデータユニット。
【請求項５】
請求項４に記載のスーパーフレーム・プロトコルパケットデータユニットであって、
前記特性は、複数のMAC管理プロトコルサービスデータユニット毎に：
受信機のMACアドレス、プリアンブル形式、データレート及び各MAC管理プロトコルサービスデータユニットの長さを有するスーパーフレーム・プロトコルパケットデータユニット。
【請求項６】
請求項４に記載のスーパーフレーム・プロトコルパケットデータユニットであって、
仮想キャリア検知機構を有する省電力機能を有するスーパーフレーム・プロトコルパケットデータユニット。
【請求項７】
請求項６に記載のスーパーフレーム・プロトコルパケットデータユニットであって、
前記省電力機能の前記仮想キャリア検知機構は、スーパー持続時間識別子を有するスーパーフレーム・プロトコルパケットデータユニット。
【請求項８】
請求項１に記載のスーパーフレーム・プロトコルパケットデータユニットであって、
前記PHYレイヤ収束プロトコルは、IEEE802.11レイヤを有するスーパーフレーム・プロトコルパケットデータユニット。
【請求項９】
請求項１に記載のスーパーフレーム・プロトコルパケットデータユニットであって、
前記スーパー・プロトコルサービスデータユニット・ヘッダは、断片化MACサービスデータユニット送信の受信を拡張するように構成されるスーパー・プロトコルパケットデータユニット。
【請求項１０】
請求項１に記載のスーパーフレーム・プロトコルパケットデータユニットであって、
１つ以上のMACサービスデータユニットは、異なるPHYレートで１つ以上の各局に配信するように適合されるスーパーフレーム・プロトコルパケットデータユニット。
【請求項１１】
請求項１に記載のスーパーフレーム・プロトコルパケットデータユニットであって、
複数の各局毎に以下のアグリゲーション情報を有するタプルを有する高スループット・シグナルフィールド（HT-SIG2）を更に有し、
前記複数の各局のうち少なくともいくつかは異なる変調／符号化方式（MCS）で伝送し、
前記タプルは：
受信機（STA）のMACアドレスと；
特定のMPDUのMCSと；
PUD長と；
を有するスーパーフレーム・プロトコルパケットデータユニット。
【請求項１２】
請求項１１に記載のスーパーフレーム・プロトコルパケットデータユニットであって、
前記タプルは、同じ宛先装置について１つより多くのMPDUを示すスーパーフレーム・プロトコルパケットデータユニット。
【請求項１３】
請求項１に記載のスーパーフレーム・プロトコルパケットデータユニットであって、
複数の各局毎に以下のアグリゲーション情報を有するタプルを有する高スループット・シグナルフィールド（HT-SIG2）を更に有し、
前記複数の各局のうち少なくともいくつかは異なる変調／符号化方式（MCS）で伝送し、
前記タプルは：
同じMCSを有するSTAのグループのMCS（MCSアグリゲート）と；
同じMCSを有する全てのアグリゲートの長さと；
前記STAのMACアドレスを有する次のサブフィールドがどのくらいの大きさであるかを示す受信機の数と；
受信機アドレスのリストと；
を有するスーパーフレーム・プロトコルパケットデータユニット。
【請求項１４】
請求項１に記載のスーパーフレーム・プロトコルパケットデータユニットであって、
複数の各局毎に以下のアグリゲーション情報を有するタプルを有する高スループット・シグナルフィールド（HT-SIG2）を更に有し、
前記複数の各局のうち少なくともいくつかは異なる変調／符号化方式（MCS）で伝送し、
前記タプルは：
同じMCSを有するSTAのグループのMCS（MCSアグリゲート）と；
同じMCSを有する全てのアグリゲートの長さと；
を有するスーパーフレーム・プロトコルパケットデータユニット。
【請求項１５】
請求項１に記載のスーパーフレーム・プロトコルパケットデータユニットであって、
複数の各局毎にアグリゲーション情報を有するタプルを有するマルチプル・レシーバ・アグリゲーション・デスクリプタ（MRAD）をPSDU-DATAフィールド内に更に有し、
前記複数の各局のうち少なくともいくつかは異なる変調／符号化方式（MCS）で伝送するスーパーフレーム・プロトコルパケットデータユニット。
【請求項１６】
請求項１に記載のスーパーフレーム・プロトコルパケットデータユニットであって、
複数の各局毎に以下のアグリゲーション情報を有するスーパー・マルチプル・レシーバ・アグリゲーション・デスクリプタ（MRAD）をPSDU-DATAフィールド内に更に有し、
前記複数の各局のうち少なくともいくつかは異なる変調／符号化方式（MCS）で伝送し、
前記スーパーMRADは：
受信機の数と；
各MCSの受信機のMACアドレスと；
各受信機のMACアドレスの後に：各受信機のMPDUの長さと；
を有するスーパーフレーム・プロトコルパケットデータユニット。
【請求項１７】
請求項１に記載のスーパーフレーム・プロトコルパケットデータユニットであって、
各受信機のMACアドレス及び長さフィールドの後に、各受信機のMPDUの数で構成されるスーパー・プロトコルパケットデータユニット。
【請求項１８】
複数のノードと；
局と；
を有するパケットのマルチレート・アグリゲーション用のシステムであって：
前記複数のノードのうち少なくとも１つは、マルチレート・パケットのアグリゲーションを有するスーパーフレームを受信するように適合されるシステム。
【請求項１９】
請求項１８に記載のシステムであって、
前記複数のノードのうち１つのノードは、異なるPHY伝送レートを有するシステム。
【請求項２０】
請求項１９に記載のシステムであって、
前記複数のノードのうち１つより多くは、異なる伝送レートのパケットのアグリゲーションを有するスーパーフレームを受信するように適合されるシステム。
【請求項２１】
請求項１９に記載のシステムであって、
前記複数のノードのうち少なくとも１つは、MACプロトコルによる非アグリゲートのパケットフレームを送受信するレガシー装置を有するシステム。
【請求項２２】
請求項１９に記載のシステムであって、
MACサービスデータユニットが異なる伝送レートで前記複数のノードのそれぞれに配信可能であるシステム。
【請求項２３】
請求項１９に記載のシステムであって、
アグリゲート・パケットの構成は、前記スーパーフレームを送受信する前記複数のノードの省電力を提供するようにグループ化されるシステム。
【請求項２４】
請求項１９に記載のシステムであって、
前記複数のノードは、IEEE802.11で動作し、複数のパケットを有するスーパーフレームを送信／受信するように適合されるアクセスポイントと、局とを有するシステム。
【請求項２５】
データ伝送用にスーパーフレームを提供する方法であって：
(a)プリアンブルとPHYレイヤ収束プロトコルとを有するヘッダを提供するステップと；
(b)スーパー・プロトコルサービスデータユニット・ヘッダを含めるステップと；
(c)グループ化される複数のMAC管理プロトコルデータユニットを提供するステップと；
を有し、
前記MAC管理プロトコルデータユニットのうち少なくとも１つは、異なるレートで複数の各ノードに配信するためにグループ化される方法。
【請求項２６】
請求項２５に記載のシステムであって：
(d)前記PHYレイヤ収束プロトコルに前記スーパー・プロトコルサービスデータユニット・ヘッダの長さの指示を含めるステップ
を更に有する方法。
【請求項２７】
請求項２５に記載のシステムであって：
(e)グループ化される複数のMAC管理プロトコルデータユニットを有する１つ以上のスーパーフレームを送信するステップ
を更に有する方法。
【発明の詳細な説明】
【技術分野】
【０００１】
本発明は、複数のパケットを有するスーパーフレームを使用したデータ伝送の形式で使用されるように設計された装置及び処理に関する。特に、本発明は、マルチプル・レシーバ・アグリゲーション（MRA：multiple  receiver  aggregation）のデータレート伝送及び省電力化の改善に関する。
【背景技術】
【０００２】
IEEE802.11のようなアクセスプロトコルで動作する現在の無線システム（LAN等）の物理レイヤは、変調及び符号化について複数の異なるオプションを有する。パケット誤り率が所定の閾値より小さければ、これらのオプションの選択は、通常では最大データレートによって決定される。
【０００３】
例えば、802.11のIEEE規格の現在のタスクグループNは、高データレートのWLANについて新しい物理（PHY）及び媒体アクセス制御（MAC）規格を開発している。複数の業界団体は、タスクグループNの提案を現在準備しており、この中に業界団体TGn  Syncがある。TGn  Syncの現在の規格は、マルチプル・レシーバ・アグリゲーションで異なるレートを許容しない。例えば、典型的には最も遠い受信機は最低のスループットを有することがあり、最低のスループットはデータを送信又は受信しようとする他のノード／局にかなりの遅延をもたらし得る。次に、このことは電力の放出を増加させる。
【発明の開示】
【発明が解決しようとする課題】
【０００４】
従って、異なるPHYレートで異なるユーザによる受信を可能にするパケット・アグリゲーションを提供するニーズが当該技術分野において存在する。しかし、このニーズは、帯域（スループット）だけでなく、遅延、遅延ジッタ及びパケット損失率を含むサービス品質（QoS）パラメータの適切な検討について対処されなければならない。
【課題を解決するための手段】
【０００５】
本発明は、異なる受信機のグループに複数のMACプロトコルデータユニットMPDUを提供し、これらを関連付けて、スーパ・プロトコルデータサービスユニット（PDSU：protocol  data  service  unit）を形成する方法、システム及び装置を提供する。このスーパーPDSUは、異なる局に配信されるために、スーパー・プロトコルパケットデータユニット（PPDU：Protocol  Packet  Data  Unit）ヘッダにカプセル化される。この機構は、受信機装置で効率的な省電力機構を実行する可能性を備え、異なるPHYレートで個々のMPDUを配信することをサポートする。
【発明を実施するための最良の形態】
【０００６】
以下の説明は限定の目的ではなく説明の目的で提供されていることが、当業者にわかる。本発明の要旨内及び特許請求の範囲内にある多数の変形態様が存在することを、当業者はわかる。既知の機能及び動作の不要な詳細は、本発明の細かい内容をあいまいにしないように、この説明から省略されることがある。
【０００７】
図１は、本発明によるマルチレート・アグリゲート・パケット（multi-rate  aggregated  packet）を伝送するシステムの１つの典型例を示している。同様に、典型的なシステムは図示のものよりかなり複雑であり、有線又は無線で通信する多数の異なる装置を有してもよいことを強調する。図１に示すシステムは、複数のノード112、113、114と、局115とを有する。複数のノードのうち少なくとも１つは、本発明によるパケットのアグリゲーションを有するスーパーフレーム125を受信するように適合される。
【０００８】
更に、複数のノード112、113及び114のうち１つのノード114は、他のノードと異なるPHY伝送レートを有してもよい。複数のノード112、113及び114のうち少なくとも１つ（典型的にはそれ以上）は、異なる伝送レート127、128及び129のパケットのアグリゲーションを有するスーパーフレーム125を受信するように適合される点にも留意すべきである。従って、異なる伝送レートを有する一連の異なるノードは、これらの効率を最大化させるレートで本発明によるスーパーフレームを使用することができる。
【０００９】
更に、複数のノード112、113及び114のうち少なくとも１つは、媒体アクセス制御（MAC）プロトコルによる非アグリゲートのパケットフレームを送受信するレガシー装置112を有してもよい点に留意すべきである。
【００１０】
図２は、本発明によるパケット・アグリゲーション用のスーパーフレーム・フォーマットを形成する基準を示している。MACレイヤ205において、それぞれ個々のMPDUによる遅延境界が合致し得る場合に、複数のMPDUはグループ化されてもよいように図示されている。更に、DTIM間隔で同じものに続いてグループ指定されたフレームと共に、ビーコンがグループ化されてもよい点に留意すべきである。PHYレベル210において、スーパーPSDUが図示されている。スーパーPSDUは、スーパーPPDUにアグリゲーションされる。スーパーPPDUはTBTT時間を破らず、リンクアダプテーションアルゴリズムはスーパーPPDUの長さに制限を設定してもよい点に留意すべきである。
【００１１】
共通の装置の宛先を有するPDSUは、受信機での省電力化を改善するために、スーパーPPDUで相互に隣接して構成され得る。PDSUは、802.11MACヘッダとペイロードとを有するMACサービスデータユニット（MSDU：MAC  service  data  unit）を有する。MACヘッダの受信機アドレス（RA：receiver  address）は、スーパーPDSUヘッダの“MAC  addr”フィールドに現れるものと同じMACアドレスである。
【００１２】
本発明は、複数のスーパーPPDUの変形態様を有する。例えば、図３Ａは、本発明の態様によるスーパーフレームのヘッダを示している。プリアンブル305は、12シンボルを有する通常の802.11aのPLCP（physical  layer  convergence  protocol）プリアンブルである。PLCPヘッダ310はまた、次のフレームが通常のPDSUではないことを示すために使用されるパラメータを有する。レートビット又は予約ビットがこの目的に使用され得る。
【００１３】
後続するPLCPヘッダは通常の802.11aのPLCPヘッダである。最初のPDSUのものを除く各PLCPヘッダは、同期のために受信局により使用され得るプリアンブルにより先行される。
【００１４】
図３Ｂは、図３Ａに示すスーパーPDSUヘッダ315だけを示す本発明の態様による図である。ここでは、MACアドレス320、プリアンブル形式、データレート330、長さ335が図示されている。各PSDUのこれらの前述のフィールドは、各局がいつデータを受信してもよいか、どのくらいの期間このような受信が生じてもよいかを計算するのに十分である。最初のMPDUのプリアンブル形式325フィールドは、無視されてもよい。局は全くデータを受信する必要がないときに、省電力機構を実行することを決定し得る。スーパー持続期間ID（Super  Duration  ID）フィールド（図示せず）が最初の局のタプル（tuple）に先行してもよい。このフィールドは、仮想キャリア検知機構のために局により使用されてもよく、全ての受信機での何らかのこのような計算を不要にする。
【００１５】
本発明のこの第１の態様によれば、ビーコンは、スーパーPSDUヘッダ315の最初のPDSであるという制限を有するスーパーフレームの一部でもよい。制限の理由は、各ビーコンの前にTBTTを合致させる点にある。基本サービスセットに何らかの省電力局が存在する場合、グループ指定されたPSDUは、記述時間スタンプ（Description  Time-stamped）のビーコンに続く。
【００１６】
更に、本発明のこの第１の態様によれば、局はビーコンのタイミング（TIM：timing）要素をデコードし、省電力（PS：power  saving）ポーリングパケットで応答する。アクセスポイント（AP）はビーコン間隔内に複数のポーリングを受信し、これらの省電力局のMSDUをアグリゲーションする。
【００１７】
更に、本発明のこの第１の態様によれば、個々のMSDUが肯定応答を必要とする時間が存在する。このような場合に、スーパーPPDU（すなわち、スーパーフレーム）の持続時間の間にデータACKシーケンスが生じなければならない。PSDUの送信終了時に、受信機は短いフレーム間隔の後に肯定応答を送信する。PSDU2のプリアンブルは短いフレーム間隔の肯定応答に続いて開始する。肯定応答が最初のMPDU1で受信されない場合、PHYがこれを記録し、全てのPSDUを試行した後に、各PSDUの状態をMACレイヤに通知する。MACレイヤはこの特定のMPDUを再送信するように決定してもよく、これを単に破棄してもよい。
【００１８】
本発明によれば、PHYはスーパーPPDUの送信機での肯定応答の受信を管理する点に留意すべきである。更に、PHYは未成功のPSDUの記録を維持管理する。
【００１９】
前述のパラグラフに関して、本発明はまた、MSDUの断片化もサポートし得る。しかし、PSDUヘッダの単純な４要素のタプル機構では、スーパーPSDUヘッダの断片化毎にタプルが存在する必要があるという欠点がある。断片化MSDU伝送の場合に媒体のより効率的な使用を行うために、スーパーPSDUヘッダのフォーマットは変更されてもよい。
【００２０】
図４は、断片化MSDU伝送を増加させるように適合されたスーパーPSDUヘッダの構成を示している。更に、このプロトコルはまた、グループ指定されたフレームにも同様に有効である点に留意すべきである。局がスーパーPPDUヘッダのグループアドレスに気づくと常に、グループのメンバであるか否かを決定する。グループのメンバであることを局が決定すると、他のフレームと同様にフレームを受信する準備をする。そうでない場合には、単にフレームを無視する。
【００２１】
図５は、本発明によるスーパーPPDUの一例がどのように局装置に効率的な電力を提供するかについて示す図である。図５に示すように、全ての局がプリアンブル501とPHYレイヤ収束（convergence）プロトコル503とスーパーPSDUヘッダ505とを読み取るため、局1-4のPHY動作は縮小する。ノード／局装置は、低ロジックレベルで示すように、省電力のスリープモードになってもよい。
【００２２】
本発明によれば、下位互換性が既存のレガシー装置により維持され、既存のレガシー装置は標準的なMACプロトコルを使用して送受信し続ける。このことは、装置が非スーパーPDSUを送信する場合に、仮想キャリア検知の規則が標準的なMACプロトコルに従って適用することを意味する。
【００２３】
更に、802.11aとは異なるが、レガシーの802.11及び802.11eの局がキャリア検知及びバックオフ機構を実行するために必要な全ての情報を抽出し得るという意味で下位互換性を有する802.11nヘッダ構造を参照し得る本発明による第２〜第７の態様が存在する。
【００２４】
図６は、団体TGn  Sync.により議論されている802.11n用の潜在的なPPDUフォーマットを示している。レガシー802.11局との下位互換性のため、レガシー・ショートトレーニングフィールド（L-STF：Legacy  Short  Training  Field）、レガシー・ロングトレーニングフィールド（L-LTF：Legacy  Long  Training  Field）及びレガシー・シグナルフィールド（L-SIG：Legacy  Signal  field）が存在する。40MHz伝送の場合、40MHzのチャネルの双方の半分で20MHzの帯域でフィールドが送信され、これによって、一方の半分のフィールドが相互に位相回転される。レガシーフィールドは、高スループット・シグナルフィールド（HT-SIG：High  Throughput  Signal  Field）、高スループット・ショートトレーニングフィールド（HT-STF：High  Throughput  Short  Training  Field）及び複数の高スループット・ロングトレーニングフィールド（HT-LTF：High  Throughput  Long  Training  Field）により後続される。HT-LTFの数はアンテナの数と同じである。本発明では異なるフィールドは詳細に説明されず、PHYヘッダの構造がどのようであるかについての例としての役目を果たすに過ぎない。PHYヘッダはPSDU-DATAにより後続される。
【００２５】
本発明によれば、アグリゲートの構造についての情報は、PHYヘッダに部分的に含まれており、PSDU-DATA内に部分的に含まれている。本発明の様々な態様は、情報がPHYヘッダとPSDU-DATAとに分散される方法で異なってもよく、どのように情報が構築されるかについて異なってもよい。本発明の全ての態様では、PHYヘッダの内部で、情報がHT-SIG又は同様のフィールドに含まれることを仮定する。アグリゲーション情報の他に他の情報がHT-SIGフィールドに含まれるため、以下ではアグリゲーション情報を含む部分はHT-SIG2と呼ばれる。
【００２６】
本発明の第２の態様について説明する。本発明の第２の態様と第１の態様との間の１つの違いは、スーパーPPDUフィールドの定義にある。
【００２７】
図７は、５つの局の例示的なグループについて本発明の第２の態様の場合のHT-SIG2  705及びPSDU-DATA755の構造を示している。５つの局のうち２つがMCS（Modulation/Coding  Scheme）1で伝送しており、他の２つがMCS2で伝送しており、第３のものが異なるMCS3で伝送している。簡潔にするため、この例では各局は１つだけのMPDUを伝送していることを仮定する。局毎に複数のMPDUを伝送することも明らかに可能である。第２の態様によれば、HT-SIG2は局STA毎に以下のアグリゲーション情報を有する。
・受信機（STA）のMACアドレス
・このMPDUのMCS
・PDU長
【００２８】
このような３つのフィールドのセットは、以下の理由で“タプル（tuple）”と呼ばれる。MPDUは、それぞれMACヘッダとペイロードとを有する。MACヘッダの受信機アドレス（RA：Receiver  Address）はHT-SIG2の‘MAC  Addr’フィールドに現れるものと同じMACアドレスである。MPDUに続くプリアンブル715、725、735、745は、所望のデータレート（HT-SIG2／MCSフィールドに含まれる）で次のMPDUを同期及びマッピング解除するために受信局により使用される。
【００２９】
本発明のこの第２の態様では、同じMACアドレスを有してもよい複数のタプルが存在する。同じMACアドレスを有する複数のタプルは、特定の装置がこのアグリゲートPSDU775で複数のMPDUを受信することを生じる。更に、１つの装置宛のMPDUは、受信機での省電力を改善するために、相互に隣接して構成されてもよい。
【００３０】
図８に示すように、本発明の第３の態様は、タプルの機能に関して本発明の第２の態様と異なる。第３の態様では、HT-SIG2フィールドのタプルは、同じ宛先装置について複数のMPDUを参照し得る。各宛先装置のMPDUの数を示す更なるフィールド708がタプルに含まれてもよい。PDU長がこの宛先装置の全てのMPDUの全長を示すため、MPDU及びタプルの各断片は、同じサイズでもよく、同じサイズでなくてもよい。
【００３１】
本発明の第２及び第３の態様の前述のフィールドに関して、これらのフィールドは、STAがいつデータを受信し始めるか、どのくらいの長さであるかを計算するのに十分である。本発明の１つの利点は、STAがデータを受信する必要がないときにSTAが省電力機構を実行するように決定し得る点である。
【００３２】
図９は、異なる受信機での典型的なアグリゲートPSDUの受信中及び第６の局STA6のスリープモード中において、本発明の第２及び第３の態様を示すために図７及び８の例で使用された５つの局（STA1〜STA6）でのスリープ・起動期間を示している。第６の局STA6はPSDUの受信機として記述されていない。HT-SIG2がこのPSDUの受信STAのMACアドレスを有するため、このSTA6は全フレーム伝送中にスリープモードに留まり得る。STA6はPSDUを通じて低レベル（スリープを示す）に留まることがわかる。
【００３３】
図１０において、HT-SIG2及びPSDU-DATAは、本発明の第４の態様のフレームフォーマットを示している。前の例と同様に、５つの局が図示されており、５つの局のうち２つがMCS1で伝送しており、他の２つがMCS2で伝送しており、第３のものが異なるMCS3で伝送している。例えば本発明の第２の態様と本発明のこの第４の態様とを区別する１つの違いは、同じMCSを使用するMPDUがグループ化されている点である。以下のアグリゲーション情報が、同じMCSを有する受信STAのグループ毎のHT-SIG2フィールドに含まれる。
・同じMCSを有するSTAのグループのMCS（MCSアグリゲート）
・同じMCSを有する全てのアグリゲートの長さ1015
・受信機の数1016（STAのMACアドレスを有する次のサブフィールドがどのくらいの大きさであるかを示す）
・受信機アドレスのリスト1017
【００３４】
前述の例と同様に、PSDUは全てのMPDU（MACヘッダ＋ペイロード）を有し、MPDUを分離して次のMPDUの長さを示すために、これにMPDU_Delimiter（長さ及びCRC）1025を付加する。MPDUデリミタは、例えば次のMPDUの長さ、巡回冗長検査（CRC：Cyclic  Redundancy  Check）サム及び固有のパターンを有してもよい。
【００３５】
本発明の前述の態様に対して、第４の態様では、プリアンブルは異なるMCSのアグリゲートを分離するためのみに使用される。すなわち、同じレートの２つのMPDUは、MPDU_Delimiiterだけで分離されるが、異なるレートの次のMPDUはスリープ・起動段階の後の同期目的でプリアンブルにより先行される。（同じMCSの）MPDUのアグリゲートの後のプリアンブルは、所望のデータレート（HT-SF2／MCSフィールドで示す）の次のMPDUを同期及びマッピング解除するために受信局により使用されてもよい。
【００３６】
図１１は、前の５つの局の例を使用した本発明の第５の態様のHT-SIG2及びPSDU-DATAフレームフォーマットを示している。５つの局のうち２つがMCS1で伝送しており、他の２つがMCS2で伝送しており、第３のものが異なるMCS3で伝送している。この場合、HT-SF2に含まれる情報は、何個のMCSグループが存在するかを考慮してグループ化される。
・同じMCSを有するSTAのグループ（MCSアグリゲート）
・同じMCSを有する全てのアグリゲートの長さ
【００３７】
図１２は、本発明の第４及び第５の態様による典型的なアグリゲートPSDUの受信中及びSTA6（受信機として記載されていない）のスリープモード中における５つの局（STA1-STA5）のスリープ・起動期間を示している。HT-SIG2がこのPSDUの受信STAのMACアドレスを有するため、このSTA6は、全フレーム伝送中にスリープモードに留り得る。
【００３８】
図１３は、本発明の前述の態様に対して、本発明の第６の態様を示している。受信機についての詳細な情報はMT-SIG2フィールドに含まれないが、TG  Sync規格に従ってMRAD（Multiple  Receiver  Aggregation  Descriptor）と呼ばれる更なるMPDUのPSDU-DATAに含まれる。このMPDUは、MPDUが次のMCSアグリゲートに含まれる全てのSTAのMACアドレスを有する。本発明の第４の態様と同様に、プリアンブルが異なるMCSのアグリゲートを分離するために使用される。
【００３９】
任意選択で、MRADはまた、このMACアドレスのMPDUの数及び／又は各アドレス向けの全てのMPDUの長さを有してもよい。自分のMPDUが送信されるときに目的の受信機のみを起動させるために、この後者の任意選択の情報は、アグリゲートに唯一のMCSが存在する場合に有用である。MCSグループと同じ数のMRAD  MPDUが存在する。
【００４０】
図１４は、本発明の第６の態様による典型的なアグリゲートPSDUの受信中及びSTA6（受信機として記載されていない）のスリープモード中における５つの局（STA1-STA5）のスリープ・起動時間を示している。本発明の前述の態様に対して、そのアドレスが受信機として記述されているか否かを検査するために、STA6は各MCSアグリゲートの開始時に起動し、プリアンブルで同期し、MRAD  MPDUをデコードしなければならない。STAが受信機として記載されていない場合にのみ、スリープモードに戻ることができる。
【００４１】
図１５において、５つの局のうち前に割り当てられた数を使用して本発明の第７の態様を示すために、HT-SIG2及びPSDU-DATAフレームフォーマットが図示されている。５つの局のうち２つがMCS1で伝送しており、他の２つがMCS2で伝送しており、第３のものが異なるMCS3で伝送している。
【００４２】
受信機についての詳細な情報は更なるスーパーMRAD  MDPU1525のPSDU-DATAに含まれる。このスーパーMRAD  MPDU1525は、次のものを有する。
・受信機の数1527
・このMSCの受信機のMACアドレス1529
・各受信機のMACアドレスの後に、各受信機のMPDUの長さ1531
・任意選択で、各受信機のMACアドレス及び長さの後に、各受信機のMPDUの数
【００４３】
本発明の前述の態様に対して、MDPUもMCSアグリゲートもプリアンブルにより分離されない。ハードウェア機能に応じて２つの異なる状態が生じ得る。MPDUデリミタが起動後にMCSアグリゲートに同期するために十分であり、或いは全PPDU間にスリープしないことも可能である。これを利用することができる装置の必要な長さ情報を提供するために、MCS及び長さ情報がHT-SIG2フィールドに含まれてもよい。
・同じMCSを有するSTAのグループのMCS（MCSアグリゲート）
・同じMCSを有する全てのアグリゲートの長さ
【００４４】
この情報がHT-SIG2フィールドに含まれない場合、スーパーMRAD  MPDUはMCSコードを有さなければならず、PPDUの異なるMCSと同じ数のスーパーMRAD  MPDUが含まれなければならない。しかし、ここでは、この情報がHT-SIG2フィールドに含まれることを仮定する。
【００４５】
図１６は、本発明の第６の態様による典型的なアグリゲートPSDUの受信中及びSTA6（受信機として記載されていない）のスリープモード中における５つの局（STA1-STA5）のスリープ・起動期間を示している。
【００４６】
本発明の要旨及び特許請求の範囲を逸脱しない様々な変形態様が本発明に行われてもよい。例えば、複数のアグリゲート・パケットを有するスーパーフレームは、必要に応じて又は好みに応じて、図示のものと異なるヘッダ構成を有してもよい。システムは、多数の異なる種類のノードを使用してもよく、伝送は有線でも無線でもよい。パケット・アグリゲーションを受け付けるように適合されている限り、802.11以外のプロトコルも使用されてもよい。
【図面の簡単な説明】
【００４７】
【図１】複数の局を有するシステム及びこれらの異なるPHY伝送レート
【図２】パケット・アグリゲーションを有するスーパーフレーム・フォーマットを形成する基準
【図３Ａ】スーパーフレームが本発明に従って構成され得る１つの方法を示すヘッダ
【図３Ｂ】図３Ａに示すスーパーフレーム・ヘッダのスーパーPDSUヘッダ部
【図４】断片化MSDU伝送の受信効率を増加させるように適合されたスーパーPDSUヘッダの構成
【図５】スーパーPPDUの一例がどのように複数の局に省電力化を提供するかを示す図
【図６】PPDUフレーム構成の一例
【図７】図６によるアグリゲーション情報の構成
【図８】本発明の態様によるアグリゲーション情報の他の図
【図９】本発明によるアクティブ／スリープ段階
【図１０】本発明の他の態様によるアグリゲーション情報の構成の他の変形態様
【図１１】本発明の他の態様によるアグリゲーション情報の構成の更に他の変形態様
【図１２】図１０及び１１に示すアグリゲーション情報によるアクティブ／スリープ段階
【図１３】本発明の他の態様によるアグリゲーション情報の構成の更に他の変形態様
【図１４】図１３に示すアグリゲーション情報によるアクティブ／スリープ段階
【図１５】本発明の他の態様によるアグリゲーション情報の構成の更に他の変形態様
【図１６】図１５に示すアグリゲーション情報によるアクティブ／スリープ段階
【図１】
2007537654.tif 000003
【図２】
2007537654.tif 000004
【図３Ａ】
2007537654.tif 000005
【図３Ｂ】
2007537654.tif 000006
【図４】
2007537654.tif 000007
【図５】
2007537654.tif 000008
【図６】
2007537654.tif 000009
【図７】
2007537654.tif 000010
【図８】
2007537654.tif 000011
【図９】
2007537654.tif 000012
【図１０】
2007537654.tif 000013
【図１１】
2007537654.tif 000014
【図１２】
2007537654.tif 000015
【図１３】
2007537654.tif 000016
【図１４】
2007537654.tif 000017
【図１５】
2007537654.tif 000018
【図１６】
2007537654.tif 000019
【国際調査報告】
2007537654.tif 000020
2007537654.tif 000021
2007537654.tif 000022
2007537654.tif 000023
2007537654.tif 000024